(57)【特許請求の範囲】
【請求項１】
人体の清拭用に使用される蒸気発生型清拭具であって、
発熱体と清拭布とがセットになっており、
前記発熱体は、袋体に発熱素子が封入された携帯型の発熱体であり、
前記清拭布は、布片と、その片面に形成されており水分を保持すると共に前記発熱体を粘着させるゲル状膜からなる
ことを特徴とする蒸気発生型清拭具。
【請求項２】
前記発熱体が、外袋と、該外袋に収納される内袋と、該内袋の内部に鉄分、活性炭、塩類、水および保水剤などからなる発熱素子とが封入されたものである
ことを特徴とする請求項１記載の蒸気発生型清拭具。
【請求項３】
前記清拭布が、不織布製の布片を用いたものであり、該布片の長さ方向における約３分の１から約２分の１の領域に前記ゲル状膜を形成している
ことを特徴とする請求項１記載の蒸気発生型清拭具。
【請求項４】
前記ゲル状膜が、前記発熱体と略同一寸法となるように形成されている
ことを特徴とする請求項３記載の蒸気発生型清拭具。
【請求項５】
請求項１記載の蒸気発生型清拭具を用いる清拭方法であって、
発熱体を発熱させると共に布片上のゲル状膜に密着させて、ゲル状膜に含まれている水分を蒸気として放出させる状態とし、
その布片で人体の皮膚表面を清拭する
ことを特徴とする清拭方法。
【発明の詳細な説明】
【技術分野】
【０００１】
本発明は、蒸気発生型清拭具およびそれを用いた清拭方法に関する。さらに詳しくは、病院や家庭内、野外等において、人体の清拭に用いられる蒸気発生型清拭具とそれを用いた清拭方法に関する。
【背景技術】
【０００２】
看護や介護に使用する身体清拭は、入浴のできない患者にシャワーや湯船を使用しないで入浴同様の爽快感や清浄化を与える清潔技術である。かかる清潔技術として本発明者が開発した蒸気布がある（特許文献１）。
【０００３】
上記特許文献１の蒸気布は、２枚のタオルを用い、第１のタオルに温度８０℃〜９０℃の熱湯を滴下し、そのタオルを絞って蒸気を含ませ、ついで、乾燥している第２のタオルで蒸気を含んだタオルを包むようにして使用する。第１のタオルに含まれている蒸気は第２のタオルでつつまれていることにより、温熱を外部に伝えることができながら放熱が徐々に進むので、数１０分位の間は温熱を与える身体清拭布として利用できる。また、気化熱が奪われることが少なく虚弱な患者であっても疲労感を与えることがない、という利点を奏するものである。
【０００４】
一方、寒中で体を暖めたり、看護技術としての罨法に用いる目的で使用される蒸気温熱具が従来より多数開発されている（たとえば特許文献２〜４）。
これら従来技術に係る蒸気温熱具は、水蒸気の発生部位は水蒸気発生組成物と一体化しており、皮膚面へ５時間程度貼付する片面透通性であって温度が５０℃程度の持続型罨法用品である。また、これらの蒸熱温熱具は、蒸気の皮膚・粘着面への温熱伝導性や持続性を高め、貼付後の気化熱による爽快知覚を喚起することを狙った温熱具である。
【０００５】
しかるに、上記特許文献２〜４の従来技術では、清拭のための布がなく、かつ温度が低すぎて人体の清拭には利用できなかった。また、発熱が長時間持続するがそのような性能は不要なだけであって、清拭終了後の廃棄処置にも困るという問題があった。
【先行技術文献】
【特許文献】
【０００６】
【特許文献１】特開２０１６−３９８４８号公報
【特許文献２】特開２００６−２７１９６２号公報
【特許文献３】特開２００９−３９３７０号公報
【特許文献４】特開２０１３−１４６５５５号公報
【発明の概要】
【発明が解決しようとする課題】
【０００７】
本発明者らは、前記特許文献１の蒸気布の利点を継承しながら、より簡便に使用することができれば、虚弱な患者だけでなく健常人に対しても好ましい温感を与えることができることに着目し本発明を完成するに至った。
【０００８】
本発明は上記事情に鑑み、温感等の好感を与えながら清拭でき、虚弱な患者でも疲労感を与えにくい蒸気発生型清拭具およびそれを用いた清拭方法を提供することを目的とする。
【課題を解決するための手段】
【０００９】
第１発明の蒸気発生型清拭具は、人体の清拭用に使用される蒸気発生型清拭具であって、発熱体と清拭布とがセットになっており、前記発熱体は、袋体に発熱素子が封入された携帯型の発熱体であり、前記清拭布は、布片と、その片面に形成されており水分を保持すると共に前記発熱体を粘着させるゲル状膜からなることを特徴とする。
第２発明の蒸気発生型清拭具は、第１発明において、前記発熱体が、外袋と、該外袋に収納される内袋と、該内袋の内部に鉄分、活性炭、塩類、水および保水剤などからなる発熱素子とが封入されたものであることを特徴とする。
第３発明の蒸気発生型清拭具は、第１発明において、前記清拭布が、不織布製の布片を用いたものであり、該布片の長さ方向における約３分の１から約２分の１の領域に前記ゲル状膜を形成していることを特徴とする。
第４発明の蒸気発生型清拭具は、第３発明において、前記ゲル状膜が、前記発熱体と略同一寸法となるように形成されていることを特徴とする。
第５発明の清拭方法は、請求項１記載の蒸気発生型清拭具を用いる清拭方法であって、発熱体を発熱させると共に布片上のゲル状膜に密着させて、ゲル状膜に含まれている水分を蒸気として放出させる状態とし、その布片で人体の皮膚表面を清拭することを特徴とする。
【発明の効果】
【００１０】
第１発明によれば、発熱体を清拭布のゲル状膜に密着させると、発熱体が発生する熱によってゲル状膜内の水分が蒸気となって清拭布から放散する。この蒸気による放熱が徐々に進む数１０分位の間に布片で清拭すれば皮膚表面に温熱を与える清拭に利用できる。また、蒸気により皮膚に湿分を補給するが水分は皮膚面に付着しないので身体から体温が気化熱によって奪われることが少なく、疲労感を与えずに穏やかな温感等の快感を与えることができる。
第２発明によれば、発熱体が携帯に便利であり、かつ用時にすぐさま使用できるので、時と場所を選ばずに蒸気布を使用することができる。とくに、野外での手当てに便利である。
第３発明によれば、不織布製の布片を備えるので体表面を優しく清拭でき、かつ布片で発熱体をくるめるので皮膚に刺激を与えることなく清拭できる。
第４発明によれば、ゲル状膜が発熱体と略同一寸法に仕上げられていると、発熱体を確実に布片に接着させることができながら、ゲル状膜が余分にはみ出ることによって生ずる手などへの不用な付着が無くなるので、清拭動作を妨げない。
第５発明によれば、蒸気の放熱が徐々に進む数１０分位の間に布片で清拭すれば皮膚表面に温熱を与えながら清拭に利用できる。また、蒸気により皮膚に湿分を補給するが水分は皮膚面に付着しないので身体から体温が気化熱によって奪われることが少なく、疲労感を与えずに穏やかな温感等の快感を与えることができる。
【図面の簡単な説明】
【００１１】
【図１】本発明の蒸気発生型清拭具Ｃを構成する発熱体包Ａと清拭布包Ｂの外観斜視図である。
【図２】図１の発熱体１と清拭布５の側面図である。
【図３】本発明に係る蒸気発生型清拭具の使用方法説明図である。
【図４】本発明に係る蒸気発生型清拭具の使用状態説明図である。
【図５】本発明の実施例１による清拭時の前腕内側皮膚面温度を示すグラフである。
【図６】本発明の実施例１による清拭時の前腕内側皮膚面湿度を示すグラフである。
【図７】本発明の実施例１、２による官能試験の結果を示す表である。
【発明を実施するための形態】
【００１２】
つぎに、本発明の実施形態を図面に基づき説明する。
（蒸気発生型清拭具Ｃの全体構成）
図１に示すように、本実施形態の蒸気発生型清拭具Ｃは人体の清拭用に使用するため蒸気を発生させながら用いる清拭具であって、発熱体包Ａと清拭布包Ｂとがセットになったものである。
【００１３】
発熱体包Ａは、発熱体１とこれを収容する外袋４とからなる。外袋４は、用時に開口して発熱体１を取り出すが、用時までの間に発熱体１を保護するために使用される。
清拭布包Ｂは、清拭布５とこれを収容する外装袋９とからなる。外装袋９は、用時に開口して清拭布５を取り出すが、用時までの間に清拭布５を保護するために用いられる。
【００１４】
（発熱体）
図１および図２（Ａ）に示すように、前記発熱体１は、内袋２とその内部に充填された発熱素子３とからなる。発熱素子３は鉄分、活性炭、塩類、水および保水剤などからなる公知のものである。発熱素子３の使用量は発熱温度と発熱持続時間によって左右されるが、２５ｇから５０ｇの範囲が好ましく、３５ｇから４０ｇ程度が最も好ましい。
この重量範囲の発熱素子３を含有する発熱体１を後述する清拭布５と共に用いれば５０℃以上の蒸散を始めてから６０分位の時間、自然蒸気放出を持続させることができ、清拭に適する時間として３０分位を確保できる。
【００１５】
上記重量範囲の発熱素子３を充填する内袋２は、寸法が縦１００〜１５０ｍｍ、横寸法が６０〜１２０ｍｍ位が好ましく、縦寸法が１２０〜１３０ｍｍ、横寸法が７０〜９０ｍｍ位が最も好ましい。ただし、これらの寸法に制限されるものではない。
内袋２の素材は通気性被覆材としてポリエチレン、ポリエチレンテレフタレート、ナイロン等の合成樹脂フィルム又は紙などの積層体が好ましいが、これに限定されるものではない。
また、内袋２における清拭布５が配される側は非通気性材として、例えばポリエチレン、ポリプロピレン、レーヨン等の合成樹脂フィルム若しくはアルミニウム箔等の金属フィルム又はそれ等の積層体とする事も可能である。
【００１６】
外袋４の素材は、発熱素子３の劣化（酸化）を防ぐためにガスバリヤー性を有する素材などが用いられるが、これに限られるものではない。
また外袋４の素材としては、通常、ポリエチレン、ポリプロピレン、ポリエチレンテレフタレート、ポリ塩化ビニル、ポリ塩化ビニリデン、エチレン酢酸ビニル共重合体、ポリアクリロニトリル、ポリアミド又はポリスチレン等の合成樹脂フィルム、又は、該合成樹脂フィルムとアルミニウム箔等の金属または紙などの積層体等が使用される。
【００１７】
上記構成の発熱体１は、公知のカイロと同様な構成であるが、短時間に７５〜９０℃程度に発熱できるように発熱素子３の材料や内袋２の通気性等の構造とすることが好ましい。
【００１８】
（清拭布）
図１および図２（Ｂ）に示すように、清拭布５は、布片６とその片面に水分を保持すると共に前記発熱体１を粘着させるゲル状膜７が形成されたものである。
外装袋９は、清拭布５の劣化を防ぐ目的から光不透過性のフィルムなどが用いられるが、これに限られるものではない。
外装袋９に用いられるフィルムは、通常は、ポリエチレン、ポリプロピレン、ポリエチレンテレフタレート、ポリ塩化ビニル、ポリ塩化ビニリデン、エチレン酢酸ビニル共重合体、ポリアクリロニトリル、ポリアミド又はポリスチレン等の合成樹脂フィルム、又は、該合成樹脂フィルムとアルミニウム箔等の金属または紙などの積層体等から選ばれたものが使用されるが、これに限られない。
【００１９】
布片６は、清拭材となるもので、不織布や高撥水性生地などの布地が用いられるが、とくにこれらに制限されるものではない。
用いられる不織布としては、親水性繊維や疎水性繊維、またはこれらの混紡または積層体で構成された不織布などを例示できるが、これらに限られない。また、不織布の製法には、スパンレース製法やニードルパンチ製法、スチームジェット製法などがあるが、どの製法を用いてもよい。
【００２０】
布片６の幅寸法は、発熱体１の幅寸法や手で持って使用するときの容易さに基づき、５０〜１００ｍｍが好ましく、さらに７０〜８０ｍｍ位が好ましい。
布片６の長さ寸法は２００〜４００ｍｍ位であるが２６０〜３４０ｍｍ位が最も好ましい。この寸法であると、発熱体１をくるんだ状態で、人の片手を挿入することができ、短すぎず長すぎもしないからである。ただし、本発明はこれらの寸法に制限されない。
【００２１】
前記布片６の片面には、ゲル状膜７が形成されている。
このゲル状膜７は、水分を保持することと、前記した発熱体１を密着するための粘着性を付与できる材料を用いて形成される。
そのような材料としては、ゲル基剤などが好適であるが、これらに制限されるものではない。また、ゲル状膜の製法と塗工は公知の方法を適宜用いることができる。
【００２２】
ゲル基剤としては、水に、デンプン、グリセリン、カルボキシメチルセルロース、カルボキシメチルセルロースナトリウム、ヒドロキシメチルセルロース、デンプン・アクリル酸ナトリウムグラフト共重合体、カルボキシビニルポリマー、ポリビニルアルコール、ポリビニルピロリドン、ポリアクリル酸、ポリアクリル酸ナトリウム、ポリアクリル酸部分中和物、寒天、キサンタンガム、ローカストビーンガム、マンナン、カラギーナンなどの懸濁化剤を加えてゲル状にしたものが挙げられる。なお、上記以外に保湿剤、防腐剤、ｐＨ調整剤なども含まれる。
【００２３】
ゲル状膜７の好ましい幅寸法は、５０〜１００ｍｍ、さらに好ましくは、７０〜８０ｍｍであるが、もちろん布片６の幅寸法以内でなければならない。
ゲル状膜６の好ましい長さ寸法は、１００〜２００ｍｍ位であって、布片６の長さ方向における約３分の１から約２分の１の領域に形成される。この寸法と配置位置は使用上の便宜から考えられたものであるが、本発明はこれに限られるものではない。
【００２４】
ゲル状膜７の寸法（長さと幅）は発熱体１と略同一とすることが好ましい。この場合、ゲル状膜７の上面積と発熱体１の底面積とがほぼ同じとなるので、発熱体１を確実に布片６に接着させることができながら、ゲル状膜７が余分にはみ出ることによって生ずる手などへの不用な付着が無くなる。このため清拭動作を妨げることがない。
【００２５】
上記寸法のゲル状膜７は、体積が４．３〜２０ｃｍ３位、重量が４．３〜２０ｇ位になるが、この場合、保有水分が２．６〜１２ｃｃ位なので、蒸気放出時間を３０〜６０分位を確保できる。なお、蒸気放出を行う時間内に清拭を行うので、清拭可能時間は３０分程度までとなるが、充分効果的な清拭が行える。
【００２６】
布片６上にゲル状膜７を形成する位置は、図２に示すように、布片６の長さ方向の略中央部とすることが好ましい。この場合、図３（Ｂ）に示すように、布片６の両端部分を折り曲げることによってゲル状膜７に接着させた発熱体１をくるみ込むことができる。
ただし、ゲル状膜７の形成位置は上記に限られることなく布片６の長さ方向の端に寄った約２分の１位の領域であってもよい。このようにしても、図１に示すように、布片６を二つ折りして発熱体１をくるむことができるからである。
【００２７】
図１および図２（Ｂ）に示す符号８は剥離フィルムであり、保管中にゲル状膜７と布片６とが無用に接着するのを防ぐために挟み込んでおかれるものである。もちろん、使用時には取り外される。
剥離フィルムの素材としては、ポリエチレン、ポリプロピレン、ポリエステル、ポリスチレンなどが好ましく使用される。また、ゲル状膜と接する面にシリコン処理を施したものや、エンボス加工を施したもの、あるいは着色及び／または印刷を施したものも使用することが出来る。剥離フィルムの厚みは特に限定はないが、２０〜１００μｍの範囲とすると、ゲル状膜の保護と使用性の点から好ましい。
【００２８】
（使用方法）
上記外袋４と上記外装袋９は発熱体１と清拭布５を別体に保管しておくために用いられ、用時には開口して発熱体１と清拭布５を取出すと、廃棄される。
使用に際しては、図３（Ａ）に示すように、清拭布５における布片６のゲル状膜７の上面に発熱体１を置き、同図（Ｂ）に示すように布片６の余った部分で発熱体１の上面をくるむ。可能なら、布片６の両端部を互いに重ねるようにする。
【００２９】
用時に際し、発熱体１は公知の携帯カイロと同様に数回振ると発熱を始める。発熱体１の発熱温度は約７５〜９０℃位であり、この熱によりゲル状膜７内の水分が熱を受けて蒸気となり、布片６から放散する。
蒸気放散の持続時間は約６０分以上であり、この蒸気放散する間に蒸気発生型清拭布Ｃを片手で持って、布片６を人の皮膚面に当ててふくと、蒸気を含んだ布片６によって体表面が清められ、しかも温熱効果が与えられる。本実施形態によると、この清拭可能時間は約３０分を確保できる。
【００３０】
上記のように本発明の蒸気発生型清拭具Ｃでは、布片６を備えているので体表面を優しく清拭でき、かつ布片６で発熱体１をくるめるので、皮膚に刺激を与えることなく清拭できる。
【実施例】
【００３１】
本発明における蒸気発生型清拭具Ｃの効能につき、体表面の温度および湿度の変化と官能試験を用いて調査した。
【００３２】
（調査方法）
香川大学温度湿度環境実験サポートグループの協力を得て、認知的身体的に問題のない健康な成人男女を被験者とした。実施例１、２については、３名、平均年令３２．３歳であった。
清拭実施部位は、被験者の前腕内側とした。調査日は平成２８年５月１９日である。
（測定用具） 
皮膚表面の温度と湿度については、温湿度計を用いた。具体的には、日本シンテック株式会社の温湿度薄型センサープローブＴＨＰ−７２８を神栄テクノロジー株式会社のネットワーク型温湿度計ＴＲＨ−７Ｘに接続して皮膚表面の温度湿度を計測した。
官能試験には、２０項目の形容詞対で構成された意味微分（ＳＤ）法を用いた。形容詞対は、図７に示すとおりの情緒的評価３項目、緊張・弛緩の５項目、興奮・鎮静の３項目、明・暗の６項目、一般的評価の３項目であった。これらの形容詞対を７件法で評価した。
官能試験は、実施例１は１３名（男性１名女性１２名、平均年齢２８．８歳）、実施例２は３名で（全て女性、平均年齢３６．３歳）、比較例１は７名（全て男性、平均年齢２３．３歳）、比較例２は２名（３６．０歳）であった。実施期間は、実施例１・２は平成２７年１０月から１１月、比較例１・２は平成２８年５月１９〜２０日であった。
【００３３】
（測定試料） 
調査に用いた試料（実施例１、２および比較例１、２）は以下の通りである。
（実施例１）
発熱体１は、３７．５ｇの発熱素子３を未晒しクレープ紙および有孔ポリエチレンフィルムの積層体素材の内袋２（縦横寸法１３０×９５ｍｍ）に充填したものを用いた。清拭布５は、ＰＥＴ素材の布片６（長さ３００ｍｍ、幅８５ｍｍ）を用い、その長さ方向片側の上面にゲル状膜７（長さ１２０ｍｍ、幅８５ｍｍ）を形成した。ゲル状膜７の素材はポリアクリル酸、ポリアクリル酸ナトリウム、ポリアクリル酸部分中和物、などの懸濁化剤を加えてゲル状にしたものである。
（実施例２）
発熱素子３の充填量を４５．０ｇとした以外は実施例１と同様のものを用意した。
（比較例１）
市販の普通のタオルに温度８０〜９０℃の蒸気を含ませたものを用意した。
（比較例２）吸水性の高い高級タオル（１リットルの水が入ったビーカーの上に１ｃｍ角の試験片（タオル）を浮かべて５秒以内に沈み始めたら合格という、今治タオル品質基準を満たすタオル、商品名「今治タオル」）に温度８０〜９０℃の蒸気を含ませたものを用意した。
【００３４】
（測定条件） 
被験者の体調は、概ね体温３６．０℃、呼吸数１６〜２０／ｍｉｎ、脈拍６０〜７０／ｍｉｎ、血圧１１０〜１１５／７０〜７５ｍｍＨｇ、末梢酸素濃度（ＳｐＯ２）９９％であり、安静時に測定を行った。実施日は、天候晴れ、実施室内の温度２４．９℃、湿度４４．５％で、空調は使用しなかった。
実施例１、２は発熱体１を水平に２０回振ってから３分経過後に清拭布５のゲル状膜６に貼付し２分経過してから被験者の前腕内側皮膚面を清拭した。
比較例１、２はタオルに湯を含ませてタオルを捻り、蒸気が発生するようになってから粗熱をとり、被験者の前腕内側皮膚面を清拭した。
【００３５】
（結果）
実施例１、２および比較例１、２における清拭直後に計測した皮膚表面の温度と湿度の変化は以下のとおりであった。
【００３６】
（皮膚表面温度）
図５は皮膚表面温度の変化曲線を示しており、縦軸は温度を示し単位は℃、横軸は清拭後の経過時間を示し単位は秒である。縦軸の０点は皮膚表面の平均温度であり、上下の温度は変化した温度を示している。比較例１、２のタオルは清拭直後急な温度上昇があるものの、その後は温度低下がやや大きいが、実施例１では温度上昇が少ないものの、その後の温度低下も少ないまま持続している。
つまり、本発明の実施例１では、清拭後に変化が少ない穏やかな皮膚面の温性環境をもたらすことができることが分る。
【００３７】
（皮膚表面湿度）
図６は皮膚表面湿度の変化曲線を示しており、縦軸は湿度を示し、単位はｍｇ／ｌ、横軸は清拭後の経過時間を示し単位は秒である。比較例１、２のタオルは清拭直後に急激な湿度上昇があり、かつ急速にほとんどの湿度分が無くなるが、これは気化熱による湿度低下が大きいことを示している。これに対し、本発明の実施例１では、湿度上昇も少ないのでその低減量も少ないまま持続している。
つまり本発明の実施例１では、清拭後の気化熱を最小にし、エネルギー消耗を最小にできることが分る。
【００３８】
以上のように、本発明の蒸気発生型清拭具およびそれを用いた清拭方法は、清拭後の皮膚の湿性条件による気化エネルギー消費を最小にするため、虚弱高齢者や癌患者等消耗の激しい患者の清拭にも好適に利用できることが分る。
【００３９】
（官能評価）
図７において、黒丸は実施例１を示し、二重丸は実施例２を示している。
実施例１、２は、皮膚感覚の官能評価において、「好ましい」、「なごやか」、「落ち着いた」、「優雅」、「あたたかい」等の肯定イメージが形成されていた。
このことは、本発明の蒸気発生型清拭具およびそれを用いた清拭方法を用いた後に、さっぱり、爽快感、ぽかぽかなど、穏やか、優しいなどの肯定的な感覚をイメージできたことを示すので、本発明の高い有用性を示すものである。
【産業上の利用可能性】
【００４０】
本発明の蒸気発生型清拭具は、看護介護分野における皮膚清拭用品としての用途が主であるが、これら以外にも、たとえば、災害時の避難所などにおける物質不足環境での温熱清拭用品や、寒冷地や山岳寒冷環境での温熱用品にも好適である。さらに、これら以外にもとくに制限なく使用することができる。
【符号の説明】
【００４１】
１  発熱体
２  内袋
３  発熱素子
５  清拭布
６  布片
７  ゲル状膜
【図１】
0006705081.tif 000002
【図２】
0006705081.tif 000003
【図３】
0006705081.tif 000004
【図４】
0006705081.tif 000005
【図５】
0006705081.tif 000006
【図６】
0006705081.tif 000007
【図７】
0006705081.tif 000008